(57)【要約】【課題】多層紙を用いた場合の重送の誤判定による不具合を解消する。【解決手段】画像読取装置１は、用紙を搬送経路に沿って搬送する搬送部１０と、搬送経路を挟む位置に設けられた音波発信器２１と、音波受信器２３と、を含み、音波発信器２１から発信された音波を音波受信器２３が受信した受信強度に応じて、値が異なる出力信号を出力する音波検出部２０と、用紙の搬送中に、第１閾値を下回り且つ第２閾値を上回る受信強度に応じた第１の出力信号と、第２閾値を下回る受信強度に応じた第２の出力信号と、が同じ用紙に対して出力された第１の場合よりも、用紙の搬送中に、第１閾値を上回る受信強度に応じた第３の出力信号と、第２の出力信号と、が同じ用紙に対して出力された第２の場合のほうが重送の可能性が高いと判断する制御部１００と、を備えた。【選択図】図２
2019196234.tif 000002
【特許請求の範囲】
【請求項１】
用紙を搬送経路に沿って搬送する搬送部と、
前記搬送経路を挟む位置に設けられた音波発信器と、音波受信器と、を含み、前記音波発信器から発信された音波を前記音波受信器が受信した受信強度に応じて、値が異なる出力信号を出力する音波検出部と、
前記用紙の搬送中に、第１閾値を下回り且つ第２閾値を上回る前記受信強度に応じた第１の出力信号と、前記第２閾値を下回る前記受信強度に応じた第２の出力信号と、が同じ用紙に対して出力された第１の場合よりも、前記用紙の搬送中に、前記第１閾値を上回る前記受信強度に応じた第３の出力信号と、前記第２の出力信号と、が同じ用紙に対して出力された第２の場合のほうが、重送の可能性が高いと判断する制御部と、
を備えたことを特徴とする搬送装置。
【請求項２】
前記制御部は、前記用紙の搬送中に、前記第２の出力信号が出力されたとき、重送の可能性を報知部に報知させることを特徴とする請求項１に記載の搬送装置。
【請求項３】
前記音波検出部は、第１の前記用紙の搬送中に、前記第１の出力信号を出力し、前記用紙の種類が第１の前記用紙とは異なる第２の前記用紙の搬送中に、前記第３の出力信号を出力することを特徴とする請求項１または２に記載の搬送装置。
【請求項４】
第１の前記用紙は写真用紙であり、第２の前記用紙は普通紙であることを特徴とする請求項３に記載の搬送装置。
【請求項５】
前記制御部は、前記用紙の搬送中に、前記第３の出力信号と、閾値時間以上の前記第２の出力信号と、が同じ用紙に対して出力されたときに、搬送を中断させることを特徴とする請求項１ないし４のいずれか１項に記載の搬送装置。
【請求項６】
前記制御部は、前記用紙の搬送中に、前記第３の出力信号と、同じ用紙に対する出力時間の合計が前記閾値時間以上の前記第２の出力信号と、が同じ用紙に対して出力されたときに、搬送を中断させることを特徴とする請求項５に記載の搬送装置。
【請求項７】
用紙を搬送経路に沿って搬送する搬送部と、
前記用紙の種類を取得する取得部と、
前記搬送経路を挟む位置に設けられた音波発信器と、音波受信器と、を含み、前記音波発信器から発信された音波を前記音波受信器が受信した受信強度に応じて、値が異なる出力信号を出力する音波検出部と、
取得した前記用紙の種類が第１の前記用紙であり、前記用紙の搬送中に、閾値を下回る前記受信強度に応じた出力信号が出力された第１の場合よりも、取得した前記用紙の種類が第１の前記用紙とは異なる第２の前記用紙であり、前記用紙の搬送中に、前記閾値を下回る前記受信強度に応じた出力信号が出力された第２の場合のほうが、重送の可能性が高いと判断する制御部と、
を備えたことを特徴とする搬送装置。
【請求項８】
第１の前記用紙は写真用紙であり、第２の前記用紙は普通紙であることを特徴とする請求項７に記載の搬送装置。
【請求項９】
前記用紙の搬送中に、前記用紙を読み取る画像読取部を備え、
前記制御部は、前記画像読取部の読取結果に基づくスキャン画像を生成することを特徴とする請求項１ないし８のいずれか１項に記載の搬送装置。
【請求項１０】
前記制御部は、前記判断として、前記第１の場合には重送エラーとして報知せず、前記第２の場合には重送エラーとして報知するという判断をすることを特徴とする請求項１ないし９のいずれか１項に記載の搬送装置。
【請求項１１】
搬送経路に沿って搬送される用紙を読み取って画像ファイルを生成する画像読取装置の画像ファイル生成方法であって、
音波発信器から発信された音波を、前記音波発信器に対して前記搬送経路を挟む位置に設けられた音波受信器で受信し、前記音波受信器が、前記音波を受信した受信強度に応じて、値が異なる出力信号を出力する音波検出工程と、
前記用紙の搬送中に、第１閾値を下回り且つ第２閾値を上回る前記受信強度に応じた第１の出力信号と、前記第２閾値を下回る前記受信強度に応じた第２の出力信号と、が同じ用紙に対して出力されたときは、該用紙の読取結果に基づくスキャン画像と、重送の可能性があることを示す重送判定情報と、を含む画像信号を生成し、前記用紙の搬送中に、前記第１閾値を上回る前記受信強度に応じた第３の出力信号と、前記第２の出力信号と、が同じ用紙に対して出力されたときは、前記画像信号を生成しない生成工程と、
を備えたことを特徴とする画像読取装置の画像ファイル生成方法。
【請求項１２】
搬送経路に沿って搬送される用紙を読み取って画像ファイルを生成する画像読取装置の画像ファイル生成方法であって、
前記用紙の種類を取得する取得工程と、
音波発信器から発信された音波を、前記音波発信器に対して前記搬送経路を挟む位置に設けられた音波受信器で受信し、前記音波受信器が、前記音波を受信した受信強度に応じて、値が異なる受信強度を出力する音波検出工程と、
取得した前記用紙の種類が第１の前記用紙であり、且つ、前記用紙の搬送中に、閾値を下回る前記受信強度に応じた出力信号が出力されたときは、該用紙の読取結果に基づくスキャン画像と、重送の可能性があることを示す重送判定情報と、を含む画像信号を生成し、取得した前記用紙の種類が第１の前記用紙とは異なる第２の前記用紙であり、且つ、前記用紙の搬送中に、前記閾値を下回る前記受信強度に応じた出力信号が出力されたときは、前記画像信号を生成しない生成工程と、
を備えたことを特徴とする画像読取装置の画像ファイル生成方法。
【発明の詳細な説明】
【技術分野】
【０００１】
本発明は、用紙の重送を判定する搬送装置、および画像読取装置の画像ファイル生成方法に関する。
【背景技術】
【０００２】
従来、この種の技術として特許文献１が知られている。特許文献１には、重送検出センサーから出力される検出信号の実推移が、単体の封筒の検出信号のプロファイルと一致しない場合、封筒が重送されたと判定する用紙搬送装置が開示されている。
【先行技術文献】
【特許文献】
【０００３】
【特許文献１】特開２０１５−０００８０４号公報
【発明の概要】
【発明が解決しようとする課題】
【０００４】
しかしながら、特許文献１の重送判定方法は、封筒などプロファイルを用意することが可能な用紙にしか適用できず、改良の余地があった。
【課題を解決するための手段】
【０００５】
本発明の搬送装置は、用紙を搬送経路に沿って搬送する搬送部と、搬送経路を挟む位置に設けられた音波発信器と、音波受信器と、を含み、音波発信器から発信された音波を音波受信器が受信した受信強度に応じて、値が異なる出力信号を出力する音波検出部と、用紙の搬送中に、第１閾値を下回り且つ第２閾値を上回る受信強度に応じた第１の出力信号と、第２閾値を下回る受信強度に応じた第２の出力信号と、が同じ用紙に対して出力された第１の場合よりも、用紙の搬送中に、第１閾値を上回る受信強度に応じた第３の出力信号と、第２の出力信号と、が同じ用紙に対して出力された第２の場合のほうが、重送の可能性が高いと判断する制御部と、を備えたことを特徴とする。
【０００６】
本発明の搬送装置は、用紙を搬送経路に沿って搬送する搬送部と、用紙の種類を取得する取得部と、搬送経路を挟む位置に設けられた音波発信器と、音波受信器と、を含み、音波発信器から発信された音波を音波受信器が受信した受信強度に応じて、値が異なる出力信号を出力する音波検出部と、取得した用紙の種類が第１の用紙であり、用紙の搬送中に、閾値を下回る受信強度に応じた出力信号が出力された第１の場合よりも、取得した用紙の種類が第１の用紙とは異なる第２の用紙であり、用紙の搬送中に、閾値を下回る受信強度に応じた出力信号が出力された第２の場合のほうが、重送の可能性が高いと判断する制御部と、を備えたことを特徴とする。
【０００７】
本発明の画像読取装置の画像ファイル生成方法は、搬送経路に沿って搬送される用紙を読み取って画像ファイルを生成する画像読取装置の画像ファイル生成方法であって、音波発信器から発信された音波を、音波発信器に対して搬送経路を挟む位置に設けられた音波受信器で受信し、音波受信器が、音波を受信した受信強度に応じて、値が異なる出力信号を出力する音波検出工程と、用紙の搬送中に、第１閾値を下回り且つ第２閾値を上回る受信強度に応じた第１の出力信号と、第２閾値を下回る受信強度に応じた第２の出力信号と、が同じ用紙に対して出力されたときは、該用紙の読取結果に基づくスキャン画像と、重送の可能性があることを示す重送判定情報と、を含む画像信号を生成し、用紙の搬送中に、第１閾値を上回る受信強度に応じた第３の出力信号と、第２の出力信号と、が同じ用紙に対して出力されたときは、画像信号を生成しない生成工程と、を備えたことを特徴とする。
【０００８】
本発明の画像読取装置の画像ファイル生成方法は、搬送経路に沿って搬送される用紙を読み取って画像ファイルを生成する画像読取装置の画像ファイル生成方法であって、用紙の種類を取得する取得工程と、音波発信器から発信された音波を、音波発信器に対して搬送経路を挟む位置に設けられた音波受信器で受信し、音波受信器が、音波を受信した受信強度に応じて、値が異なる受信強度を出力する音波検出工程と、取得した用紙の種類が第１の用紙であり、且つ、用紙の搬送中に、閾値を下回る受信強度に応じた出力信号が出力されたときは、該用紙の読取結果に基づくスキャン画像と、重送の可能性があることを示す重送判定情報と、を含む画像信号を生成し、取得した用紙の種類が第１の用紙とは異なる第２の用紙であり、且つ、用紙の搬送中に、閾値を下回る受信強度に応じた出力信号が出力されたときは、画像信号を生成しない生成工程と、を備えたことを特徴とする。
【図面の簡単な説明】
【０００９】
【図１】画像読取装置の搬送経路周りの構成を示す図である。
【図２】画像読取装置の制御系を示すブロック図である。
【図３】判定閾値の説明図である。
【図４】普通紙を用いた場合の音波検出部の検出結果の一例を示す図である。
【図５】多層紙を用いた場合の音波検出部の検出結果の一例を示す図である。
【図６】第１実施形態に係る、初期判定処理の流れを示すフローチャートである。
【図７】通常判定処理の流れを示すフローチャートである。
【図８】特殊判定処理の流れを示すフローチャートである。
【図９】紙ジャムエラー処理の流れを示すフローチャートである。
【図１０】重送エラー処理の流れを示すフローチャートである。
【図１１】通常出力処理の流れを示すフローチャートである。
【図１２】特殊出力処理の流れを示すフローチャートである。
【図１３】第２実施形態に係る、初期判定処理の流れを示すフローチャートである。
【発明を実施するための形態】
【００１０】
［第１実施形態］
以下、本発明の一実施形態に係る搬送装置、および画像読取装置の画像ファイル生成方法について、添付図面に基づいて説明する。本実施形態では、搬送装置および画像読取装置として、原稿を搬送しながらスキャニングするシートフィードスキャナーを例示する。
【００１１】
図１は、画像読取装置１の搬送経路周りの構成を示す図である。画像読取装置１には、用紙Ｓが搬送される搬送経路５が形成されている。本実施形態において、用紙Ｓは、単票紙であるものとする。搬送経路５には、一対の分離ローラー１１と、音波検出部２０と、用紙センサー３１と、画像読取部４０と、一対の搬送ローラー１２と、が配置されている。また、搬送経路５の画像読取部４０が臨む位置には、光透過性を有するプラテンガラス４６と、用紙押さえ板４７と、が対向して配置されている。
【００１２】
分離ローラー１１は、用紙Ｓの搬送方向において、音波検出部２０よりも上流側、すなわち音波検出部２０より−Ｙ側に配置されている。分離ローラー１１は、駆動ローラーおよび従動ローラーから成り、複数枚積層された用紙Ｓを１枚ずつ分離させながら、用紙Ｓを搬送経路５に給紙する。
【００１３】
音波検出部２０は、用紙Ｓの搬送方向において、用紙センサー３１よりも上流側、すなわち用紙センサー３１より−Ｙ側に配置されている。音波検出部２０は、搬送経路５を挟む位置に対向して設けられた音波発信器２１と、音波受信器２３と、を含む。音波発信器２１は、搬送経路５を搬送される用紙Ｓに超音波を発信する。音波発信器２１から用紙Ｓに向けて超音波が発信されると、用紙Ｓの裏側から副次的に超音波が放射される。音波受信器２３は、この副次的に放射された超音波を受信する。このとき、用紙Ｓが厚い場合や坪量が大きい場合は、用紙Ｓが薄い場合や坪量が小さい場合より超音波の減衰率が大きくなるため、音波受信器２３による超音波の受信強度が小さくなる。また、用紙Ｓが重送されている場合は、さらに超音波の減衰率が大きくなり、音波受信器２３による超音波の受信強度がさらに小さくなる。このような性質を利用し、制御部１００は、音波受信器２３から出力される出力信号の値に基づいて、用紙Ｓの種類や重送を判定する。なお、本実施形態では、音波受信器２３の受信強度が大きくなるにつれて、出力信号の値も大きくなるものとする。
【００１４】
なお、音波検出部２０において、音波発信器２１から用紙Ｓに向けて超音波が発信され、その超音波によって副次的に放射される超音波を音波受信器２３が受信し、音波受信器２３がその受信強度に応じて出力信号を出力する一例の工程は、本発明の「音波検出工程」の一例である。
【００１５】
なお、超音波が用紙Ｓに照射されると、その一部が反射し、用紙Ｓと音波発信器２１との間で乱反射する。乱反射した反射波は、ノイズ成分として音波受信器２３に入射される場合があり、検出精度を低下させる一因となる。そのため、音波発信器２１は、用紙Ｓに対して超音波を斜めに照射するように配置される。また、これに伴い、音波受信器２３も、音波発信器２１に正面から対向するように、用紙Ｓに対して斜めに配置される。このように音波発信器２１と音波受信器２３とが用紙Ｓに対して斜めに配置されていても、用紙Ｓの厚さ方向において、音波発信器２１と音波受信器２３との間に用紙Ｓが通るのであれば、搬送経路５を挟む位置に音波発信器２１と音波受信器２３が設けられていると見ることができる。
【００１６】
用紙センサー３１は、用紙Ｓの搬送方向において、画像読取部４０よりも上流側、すなわち画像読取部４０より−Ｙ側に配置されている。用紙センサー３１は、用紙Ｓの先端位置および後端位置を検出する。
【００１７】
画像読取部４０は、用紙Ｓの搬送方向において、搬送ローラー１２のよりも上流側、すなわち搬送ローラー１２より−Ｙ側に配置されている。画像読取部４０は、光源４１と、レンズアレイ４２と、イメージセンサー４３と、を含む。また、画像読取部４０との間で搬送経路５を挟む位置に設けられる用紙押さえ板４７は、用紙Ｓの紙浮きを抑え、照射むらの発生を防止する。また、用紙押さえ板４７は、イメージセンサー４３の出力最大値となる白基準値を設定するための白基準板としても機能する。光源４１から出射された光は、プラテンガラス４６を透過して、搬送経路５上を通過する用紙Ｓまたは用紙押さえ板４７に照射される。用紙Ｓまたは用紙押さえ板４７から反射された光は、レンズアレイ４２を介してイメージセンサー４３に入射される。
【００１８】
搬送ローラー１２は、用紙Ｓの搬送方向において、画像読取部４０よりも下流側、すなわち画像読取部４０より＋Ｙ側に配置されている。搬送ローラー１２は、駆動ローラーおよび従動ローラーから成り、用紙Ｓを搬送経路５に沿って＋Ｙ方向に搬送する。
【００１９】
図２は、画像読取装置１の制御系を示すブロック図である。画像読取装置１は、搬送部１０と、音波検出部２０と、用紙検出部３０と、画像読取部４０と、記憶部５０と、画像処理部６０と、操作部７０と、表示部８０と、出力部９０と、制御部１００と、を含む。なお、表示部８０は、本発明の「報知部」の一例である。
【００２０】
搬送部１０は、分離モーター１３と、搬送モーター１４と、を含む。分離モーター１３は、分離ローラー１１の駆動ローラーを駆動する。分離ローラー１１の従動ローラーは、不図示のトルクリミッタが設けられており、用紙Ｓの搬送時の回転方向とは逆の回転方向の駆動トルクを受ける。従動ローラーがこのトルクリミッタにより駆動トルクを受けた状態で、駆動ローラーが駆動することにより、積層された用紙Ｓのうち最上層にある用紙Ｓが搬送経路５に送り出される。一方、搬送モーター１４は、搬送ローラー１２の駆動ローラーを駆動する。また、搬送ローラー１２の従動ローラーは、駆動ローラーに従動して回転される。これにより、用紙Ｓが搬送経路５に沿って＋Ｙ方向に搬送される。
【００２１】
音波検出部２０は、上記の音波発信器２１および音波受信器２３の他、発信回路２２と、受信回路２４と、を含む。発信回路２２は、制御部１００から出力される駆動パルスを増幅し、音波発信器２１に入力する。音波発信器２１は、発信回路２２から入力された駆動パルスに基づいて、超音波を発信する。一方、受信回路２４は、音波受信器２３が受信した超音波の受信強度に応じた出力信号を出力する。また、受信回路２４は、出力信号を段階的に増幅していくための、複数の増幅回路を有している。制御部１００は、これら複数の増幅回路のうち、初段の増幅回路と最終段の増幅回路から出力された出力信号を取得する。
【００２２】
用紙検出部３０は、用紙センサー３１を含む。用紙センサー３１は、例えば発光素子と、受光素子と、を有する光学センサーであり、発光素子の光を搬送経路５に出射し、その反射光を受光素子で受光することより用紙Ｓの有無を検出する。
【００２３】
画像読取部４０は、用紙Ｓを光学的に読み取るものであり、光源４１と、レンズアレイ４２と、イメージセンサー４３と、Ａ／Ｄ変換部４４と、を含む。光源４１は、例えば、赤色ＬＥＤ、緑色ＬＥＤおよび青色ＬＥＤから成り、３色の光を順に切り替えながら照射する。レンズアレイ４２は、例えば、ロッドレンズアレイであり、用紙Ｓの搬送方向と交差する方向、すなわちＸ方向（図１参照）に配列された複数のレンズによる正立等倍像を重ね合わせて連続像を形成する。イメージセンサー４３は、例えば、ＣＣＤ（Charge Coupled Device）センサーまたはＣＭＯＳ（Complementary Metal Oxide Semiconductor）センサーであり、Ｘ方向に並んだ複数のセンサーチップを有する。各センサーチップは、光電変換素子を含む。光電変換素子の受光量は電荷として蓄積され、その電荷がアナログ信号として出力される。Ａ／Ｄ変換部４４は、イメージセンサー４３から出力されたアナログ信号をデジタル信号に変換する。
【００２４】
記憶部５０は、閾値記憶領域５１を含む。記憶部５０としては、例えば、ＤＲＡＭ（Dynamic Random Access Memory）が用いられる。閾値記憶領域５１は、音波検出部２０の検出結果に基づいて各種判定を行うための判定閾値を記憶する。本実施液体では、判定閾値として、大きい順に閾値Ｖ０、閾値Ｖ１、閾値Ｖ２の３つの閾値が記憶される。
【００２５】
なお、閾値Ｖ０および閾値Ｖ１は、受信回路２４に含まれる複数の増幅回路のうち、初段の増幅回路から出力された出力信号と比較される閾値である。また、閾値Ｖ２は、受信回路２４に含まれる複数の増幅回路のうち、最終段の増幅回路から出力された出力信号と比較される閾値である。なお、閾値Ｖ１は、本発明の「第１閾値」の一例であり、閾値Ｖ２は、本発明の「第２閾値」および「閾値」の一例である。
【００２６】
図３は、判定閾値の説明図である。同図において、縦軸は、音波検出部２０の出力信号の値を示している。以下、「出力信号の値」を「出力値」と称する。同図に示すように、音波検出部２０の検出位置に用紙Ｓが存在しない場合の音波検出部２０の出力値を「紙無し時出力値Ｖｎ」としたとき、閾値Ｖ０は、紙無し時出力値Ｖｎの７０％〜９０％程度の値に設定される。また、閾値Ｖ１は、紙無し時出力値Ｖｎの４０％〜６０％程度の値に設定される。また、閾値Ｖ２は、紙無し時出力値Ｖｎの１０％〜３０％程度の値に設定される。なお、閾値Ｖ０および閾値Ｖ１の紙無し時出力値Ｖｎに対する割合は、画像読取装置１がどの範囲の厚みや坪量の用紙Ｓに対応可能かに応じて、画像読取装置１ごと、例えば機種ごとに決定される値である。一方、閾値Ｖ２は、画像読取装置１が、どの範囲の厚みや坪量の用紙Ｓに対応可能かによらず、一定の値として設定される値である。
【００２７】
ここで、閾値Ｖ０は、用紙Ｓの有無を判定するための閾値である。制御部１００は、音波検出部２０の出力値が閾値Ｖ０を下回っている場合、音波検出部２０の検出位置に用紙Ｓが存在すると判定する。また、閾値Ｖ１は、用紙Ｓの種類が多層紙Ｓ１（図５参照）であるか否かを判定するための閾値である。制御部１００は、音波検出部２０の出力値が閾値Ｖ０を下回り閾値Ｖ１を上回っている場合、用紙Ｓの種類が普通紙Ｓ２（図４参照）であると判定する。多層紙Ｓ１は、本発明の「第１の用紙」の一例であり、普通紙Ｓ２は、本発明の「第２の用紙」の一例である。
【００２８】
また、閾値Ｖ２は、用紙Ｓが重送されているか否かを判定するための閾値である。制御部１００は、音波検出部２０の出力値が閾値Ｖ２以下となっている時間が閾値時間以上継続した場合、重送の可能性があると判定する。なお、音波検出部２０は、一定の周期で重送検出を行う。したがって、制御部１００は、音波検出部２０から閾値Ｖ２以下となる出力信号が所定回数出力された時点で、重送の可能性があると判定する。なお、出力信号の出力回数は、閾値Ｖ２以下となる出力信号が出力された時間に相当する。つまり、「閾値Ｖ２以下となる出力信号が所定回数出力される」とは、「閾値Ｖ２以下となる出力信号が閾値時間出力される」ことを意味する。また、「所定回数出力される」とは、必ずしも所定回数連続して出力される必要はなく、同じ用紙Ｓについて出力された閾値Ｖ２以下となる出力信号の合計回数が所定回数に達する場合も含む概念である。
【００２９】
なお、出力値が閾値Ｖ２を上回り且つ閾値Ｖ１以下となる音波検出部２０の出力信号は、本発明の「第１の出力信号」の一例である。また、出力値が閾値Ｖ２以下となる音波検出部２０の出力信号は、本発明の「第２の出力信号」の一例である。また、出力値が閾値Ｖ１を上回り且つ閾値Ｖ０以下となる音波検出部２０の出力信号は、本発明の「第３の出力信号」の一例である。
【００３０】
ここで、多層紙Ｓ１とは、写真用紙のように複数の層を有する多層構造の用紙Ｓを指す。このような多層構造の用紙Ｓは、乱雑な扱いや経年劣化等により、多層構造の内部において一部の層が剥離し、空洞が発生する場合がある。空洞が発生した多層紙Ｓ１は、音波発信器２１から発信された超音波が空洞により減衰し、１枚の用紙Ｓであるにもかかわらず、閾値Ｖ２以下の出力信号が出力されることがある。そのため、本実施形態の画像読取装置１は、音波検出部２０の出力値が閾値Ｖ１以下となる出力信号が出力された場合、特別な判定処理を行うことで、重送の誤判定を抑制する。一方、普通紙Ｓ２とは、多層紙Ｓ１よりも紙厚および坪量の少なくとも一方が小さい用紙Ｓを指す。言い換えれば、普通紙Ｓ２とは、多層紙Ｓ１より超音波を通しやすい、すなわち超音波の減衰率が小さい用紙Ｓを指す。
【００３１】
図２の説明に戻る。画像処理部６０は、画像読取部４０の読取結果であるスキャンデータに対して画像処理を行い、スキャン画像を生成するプロセッサーを備える。プロセッサーとしては、例えば、画像処理専用のＡＳＩＣ（Application Specific Integrated Circuit）が用いられる。もちろん汎用のＣＰＵ（Central Processing Unit）を用いたり、ＣＰＵとＡＳＩＣとが協働したりするようにしてもよい。画像処理部６０は、シェーディング補正、ガンマ補正、ライン間補正およびスキュー補正などの各種画像処理を行う。
【００３２】
操作部７０は、ユーザーが各種設定および指示を行うために用いられる。また、表示部８０は、各種情報を表示する。例えば、制御部１００は、重送の可能性があると判定した場合、その旨のメッセージを表示部８０に表示させる。操作部７０および表示部８０として、例えば、タッチパネル付きディスプレーが用いられる。もちろん、操作部７０と表示部８０とを個別に設けてもよい。
【００３３】
出力部９０は、ホスト装置２００に対し、画像処理部６０により画像処理が行われたスキャン画像や各種制御信号を出力する。ホスト装置２００としては、例えば、ＰＣ（Personal Computer）が用いられる。出力部９０は、制御部１００により重送の可能性があると判定された場合、上記のスキャン画像と、重送の可能性があることを示す重送判定情報と、を含む画像ファイルをホスト装置２００に出力する。また、出力部９０は、制御部１００により重送の可能性がないと判定された場合、上記のスキャン画像と、重送の可能性がないことを示す非重送判定情報と、を含む画像ファイルをホスト装置２００に出力する。この画像ファイルが画像信号に相当する。
【００３４】
なお、重送判定情報および非重送判定情報は、ヘッダーとしてスキャン画像に付加されてもよいし、フラグとして付加されてもよい。また、スキャン画像のファイルに添付される添付ファイルとして付加されてもよい。このようにスキャン画像のファイルと重送判定情報または非重送判定情報を含むファイルとをまとめて画像信号とみなしてもよい。また、出力部９０は、制御部１００により重送の可能性がないと判定された場合、非重送判定情報をスキャン画像に付加するのではなく、非重送判定情報を含まない画像ファイル、すなわちスキャン画像のみをホスト装置２００に出力してもよい。
【００３５】
制御部１００は、上記の各部と接続され、各部を制御する。制御部１００は、例えば、プロセッサー（例えば、ＣＰＵやＡＳＩＣやＣＰＵとＡＳＩＣの協働）、ＲＯＭ（Read Only Memory）およびＲＡＭ（Random Access Memory）により構成される。
【００３６】
上記の構成により、制御部１００は、まず画像読取装置１の電源ＯＮ時に、電源ＯＮ直後の音波検出部２０の出力値、すなわち紙無し時出力値Ｖｎを取得する。また、この紙無し時出力値Ｖｎに基づき、所定のアルゴリズムを用いて閾値Ｖ０、閾値Ｖ１および閾値Ｖ２を算出し、閾値記憶領域５１に記憶させる。その後、制御部１００は、ユーザーからの読取開始指示に基づき、用紙Ｓの搬送および読取を開始する。また、制御部１００は、用紙センサー３１による用紙Ｓの頭出し検出時から一定時間Ｔ１が経過した時点で、音波検出部２０から出力された出力信号に基づく判定を開始する。
【００３７】
音波検出部２０による検出を開始すると、制御部１００は、音波検出部２０の出力値に基づき、読取対象となっている用紙Ｓについて、多層紙Ｓ１であるか否かを判定する。制御部１００は、多層紙Ｓ１であると判定した場合、音波検出部２０の出力値から重送の可能性があると判定しても、用紙Ｓの搬送および読取を継続させる。一方、制御部１００は、普通紙Ｓ２であると判定した場合、音波検出部２０の出力値から重送の可能性があると判定すると、用紙Ｓの搬送および読取を中断させ、表示部８０にエラー表示を行う。このように、制御部１００は、用紙Ｓが多層紙Ｓ１であると判定した場合は、重送の誤判定により用紙Ｓの読取が中断されてしまうことを防ぐため、用紙Ｓの搬送および読取を継続する。また、制御部１００は、用紙Ｓが普通紙Ｓ２であると判定した場合は、重送の誤判定の可能性が低いため、重送による用紙Ｓの破損等を防ぐべく、用紙Ｓの搬送および読取を中断する。
【００３８】
また、制御部１００は、重送の可能性があると判定した場合、用紙Ｓの読取完了後に、表示部８０に重送の可能性があることを示すメッセージを表示すると共に、スキャン画像と、重送判定情報と、を含む画像ファイルをホスト装置２００に出力する。また、制御部１００は、重送の可能性があると判定しなかった場合、すなわち正常に用紙Ｓの読取が完了した場合は、スキャン画像と、非重送判定情報と、を含む画像ファイルをホスト装置２００に出力する。
【００３９】
ここで、音波検出部２０の検出結果について具体例を挙げて説明する。図４は、普通紙Ｓ２を用いた場合の音波検出部２０の検出結果の一例を示す図である。同図において、縦軸は、音波検出部２０の出力値を示し、横軸は、時間を示している。符号ｔ１は、音波検出部２０の検出開始時点を示している。符号ｔ１から符号ｔ２の間は、音波検出部２０の出力値をＶｏとすると、Ｖｏ＞Ｖ０であるため、「紙無し」と判定される。また、符号ｔ２から符号ｔ３の間は、Ｖ１＜Ｖｏ≦Ｖ０であるため、用紙Ｓが普通紙Ｓ２であると判定される。また、符号ｔ３以降は、Ｖｏ≦Ｖ２であるため、重送の可能性があると判定される。
【００４０】
図４の例では、符号ｔ２から符号ｔ３の間で、用紙Ｓが普通紙Ｓ２であると判定されているため、符号ｔ３以降、Ｖｏ≦Ｖ２となる出力信号が所定回数出力された時点で、用紙Ｓの搬送および読取が中断される。符号ｔ４は、Ｖｏ≦Ｖ２となる出力信号が所定回数に達した時点、すなわち用紙Ｓの搬送および読取が中断された時点を示している。制御部１００は、この時点で重送エラーと判定し、表示部８０にエラー表示を行うと共に、音波検出部２０による検出も中断させる。
【００４１】
図５は、多層紙Ｓ１を用いた場合の音波検出部２０の検出結果の一例を示す図である。符号ｔ１は、音波検出部２０の検出開始時点を示している。符号ｔ１から符号ｔ２の間は、音波検出部２０の出力値をＶｏとしたとき、Ｖｏ＞Ｖ０であるため、「紙無し」と判定される。また、符号ｔ２から符号ｔ３の間は、Ｖ２＜Ｖｏ≦Ｖ１であるため、用紙Ｓが多層紙Ｓ１であると判定される。また、符号ｔ３から符号ｔ４の間は、Ｖｏ≦Ｖ２であるため、重送の可能性があると判定される。
【００４２】
図５の例では、符号ｔ２から符号ｔ３の間で、用紙Ｓが多層紙Ｓ１であると判定されているため、符号ｔ３以降、Ｖｏ≦Ｖ２となる出力信号所定回数出力されても、重送エラーとは判定されず、用紙Ｓの搬送および読取が継続される。その後、符号ｔ４から符号ｔ５の間は、Ｖ２＜Ｖｏ≦Ｖ１、符号ｔ５から符号ｔ６の間は、Ｖｏ≦Ｖ２、符号ｔ６から符号ｔ７の間は、Ｖ２＜Ｖｏ≦Ｖ１と、音波検出部２０の出力値が上下している。このような出力信号は、多層紙Ｓ１に空洞がある場合に発生する。図５の例では、Ｖｏ≦Ｖ２となった符号ｔ３から符号ｔ４の間と、符号ｔ５から符号ｔ６の間で、多層紙Ｓ１の空洞が音波検出部２０の検出位置に位置していたと考えられる。その後、符号ｔ７から符号ｔ８の間は、Ｖｏ＞Ｖ０であるため、「紙無し」と判定される。符号ｔ８は、音波検出部２０の検出完了時点を示している。音波検出部２０は、用紙センサー３１の検出結果が「紙有り」から「紙無し」に変化した時点で、検出を完了する。
【００４３】
次に、図６ないし図１１のフローチャートを参照し、画像読取装置１の画像ファイル生成方法を示す一連の処理について説明する。図６は、その処理の一部となる初期判定処理の流れを示すフローチャートである。画像読取装置１は、ユーザーからの読取開始指示に基づき、初期判定処理を開始すると、まず、分離ローラー１１による用紙Ｓの分離と搬送を開始する（Ｓ０１）。画像読取装置１は、用紙Ｓの搬送によって、用紙Ｓの先端が用紙センサー３１によって検出された時点から一定時間Ｔ１経過後に、音波検出部２０の検出結果に基づく判定を開始する（Ｓ０２）。画像読取装置１は、音波検出部２０の出力値Ｖｏを取得したか否かを判定し（Ｓ０３）、取得していないと判定した場合は（Ｓ０３：Ｎｏ）、Ｓ０３に戻り、取得したと判定した場合は（Ｓ０３：Ｙｅｓ）、Ｓ０４に進む。なお、図示しないが、画像読取装置１は、Ｓ０３において、出力値Ｖｏを取得していないという判定が所定回数以上続いた場合、用紙Ｓがジャム等によって、いるべき位置にいないことを示しているため、エラー報知を行う。後述する、図７のＳ１２、図８のＳ２２についても同様である。
【００４４】
画像読取装置１は、音波検出部２０の出力値Ｖｏを取得すると、Ｖｏ≦Ｖ０であるか否かを判定し（Ｓ０４）、Ｖｏ≦Ｖ０ではないと判定した場合（Ｓ０４：Ｎｏ）、搬送開始後、一定時間Ｔ２が経過したか否かを判定する（Ｓ０５）。画像読取装置１は、搬送開始後、一定時間Ｔ２が経過していないと判定した場合は（Ｓ０５：Ｎｏ）、Ｓ０３に戻り、一定時間Ｔ２が経過したと判定した場合は（Ｓ０５：Ｙｅｓ）、紙ジャムエラー処理（図９参照）を行う。
【００４５】
画像読取装置１は、Ｓ０４において、Ｖｏ≦Ｖ０であると判定した場合（Ｓ０４：Ｙｅｓ）、Ｖｏ≦Ｖ１であるか否かを判定する（Ｓ０６）。画像読取装置１は、Ｖｏ≦Ｖ１ではないと判定した場合（Ｓ０６：Ｎｏ）、用紙Ｓの搬送開始後、重送の可能性ありと判定された回数、すなわちＶｏ≦Ｖ２と判定された回数が１回以上であるか否かを判定する（Ｓ０７）。なお、「重送の可能性ありと判定された回数」を、以下「重送判定回数」と称する。画像読取装置１は、重送判定回数が１回以上ではないと判定した場合（Ｓ０７：Ｎｏ）、通常判定処理（図７参照）を行い、重送判定回数が１回以上であると判定した場合（Ｓ０７：Ｙｅｓ）、特殊判定処理（図８参照）を行う。このように、Ｖｏ≦Ｖ１ではないと判定された場合（Ｓ０６：Ｎｏ）、すなわち普通紙Ｓ２と判定された場合でも、重送判定されたことがある用紙Ｓは、付箋紙やシール等が貼付されている可能性があるため、特殊判定処理を行う。
【００４６】
画像読取装置１は、Ｓ０６において、Ｖｏ≦Ｖ１であると判定した場合（Ｓ０６：Ｙｅｓ）、Ｖｏ≦Ｖ２であるか否かを判定する（Ｓ０８）。画像読取装置１は、Ｖｏ≦Ｖ２ではないと判定した場合（Ｓ０８：Ｎｏ）、特殊判定処理を行う。また、画像読取装置１は、Ｖｏ≦Ｖ２であると判定した場合（Ｓ０８：Ｙｅｓ）、重送判定回数をカウントアップし（Ｓ０９）、重送判定回数がｎ回以上であるか否かを判定する（Ｓ１０）。画像読取装置１は、重送判定回数がｎ回以上であると判定した場合（Ｓ１０：Ｙｅｓ）、重送エラー処理（図１０参照）を行い、重送判定回数がｎ回以上ではないと判定した場合（Ｓ１０：Ｎｏ）、Ｓ０３に戻る。
【００４７】
図７は、通常判定処理の流れを示すフローチャートである。画像読取装置１は、通常判定処理を開始すると、用紙１枚の搬送が完了したか否かを判定する（Ｓ１１）。用紙１枚の搬送が完了したか否かは、用紙センサー３１の検出結果が「紙有り」から「紙無し」に変化したか否かで判定する。若しくは、ユーザーが用紙Ｓの搬送方向における長さを設定している場合、その長さ分の搬送が完了したか否かで、用紙１枚の搬送が完了したか否かを判定してもよい。
【００４８】
画像読取装置１は、用紙１枚の搬送が完了していないと判定した場合（Ｓ１１：Ｎｏ）、音波検出部２０の出力値Ｖｏを取得したか否かを判定する（Ｓ１２）。画像読取装置１は、出力値Ｖｏを取得していないと判定した場合（Ｓ１２：Ｎｏ）、Ｓ１２に戻り、取得したと判定した場合は（Ｓ１２：Ｙｅｓ）、Ｖｏ≦Ｖ２であるか否かを判定する（Ｓ１３）。画像読取装置１は、Ｖｏ≦Ｖ２であると判定した場合（Ｓ１３：Ｙｅｓ）、重送判定回数をカウントアップし（Ｓ１４）、重送判定回数がｎ回以上であるか否かを判定する（Ｓ１５）。画像読取装置１は、重送判定回数がｎ回以上であると判定した場合（Ｓ１５：Ｙｅｓ）、重送エラー処理を行い、重送判定回数がｎ回以上ではないと判定した場合（Ｓ１５：Ｎｏ）、Ｓ１１に戻る。なお、重送判定回数がｎ回以上であると判定した場合（Ｓ１５：Ｙｅｓ）は、本発明の「第２の場合」の一例である。
【００４９】
一方、画像読取装置１は、Ｓ１３において、Ｖｏ≦Ｖ２ではないと判定した場合（Ｓ１３：Ｎｏ）、重送判定回数が１回以上であるか否かを判定する（Ｓ１６）。画像読取装置１は、重送判定回数が１回以上であると判定した場合（Ｓ１６：Ｙｅｓ）、特殊判定処理を行い、重送判定回数が１回以上ではないと判定した場合（Ｓ１６：Ｎｏ）、Ｓ１１に戻る。Ｓ１６において、重送判定回数が１回以上であると判定した場合に特殊判定処理を行うのは、図６のＳ０８：Ｙｅｓの場合と同様に、付箋紙やシール等が貼付された用紙Ｓを考慮したものである。また、画像読取装置１は、Ｓ１１において、用紙１枚の搬送が完了したと判定した場合（Ｓ１１：Ｙｅｓ）、重送判定回数をリセットし（Ｓ１７）、通常出力処理（図１１参照）を行う。
【００５０】
図８は、特殊判定処理の流れを示すフローチャートである。画像読取装置１は、特殊判定処理を開始すると、用紙１枚の搬送が完了したか否かを判定し（Ｓ２１）、完了していないと判定した場合（Ｓ２１：Ｎｏ）、音波検出部２０の出力値Ｖｏを取得したか否かを判定する（Ｓ２２）。画像読取装置１は、出力値Ｖｏを取得していないと判定した場合（Ｓ２２：Ｎｏ）、Ｓ２２に戻り、取得したと判定した場合は（Ｓ２２：Ｙｅｓ）、Ｖｏ≦Ｖ２であるか否かを判定する（Ｓ２３）。画像読取装置１は、Ｖｏ≦Ｖ２であると判定した場合（Ｓ２３：Ｙｅｓ）、重送判定回数をカウントアップし（Ｓ２４）、重送判定回数がｎ回以上であるか否かを判定する（Ｓ２５）。画像読取装置１は、重送判定回数がｎ回以上であると判定した場合（Ｓ２５：Ｙｅｓ）、特殊出力処理（図１２参照）を行い、重送判定回数がｎ回以上ではないと判定した場合（Ｓ２５：Ｎｏ）、Ｓ２１に戻る。なお、重送判定回数がｎ回以上であると判定した場合（Ｓ２５：Ｙｅｓ）は、本発明の「第１の場合」の一例である。
【００５１】
一方、画像読取装置１は、Ｓ２３において、Ｖｏ≦Ｖ２ではないと判定した場合（Ｓ２３：Ｎｏ）、Ｓ２１に戻る。また、画像読取装置１は、Ｓ２１において、用紙１枚の搬送が完了したと判定した場合（Ｓ２１：Ｙｅｓ）、重送判定回数をリセットし（Ｓ２６）、通常出力処理を行う。
【００５２】
図９は、紙ジャムエラー処理の流れを示すフローチャートである。画像読取装置１は、紙ジャムエラー処理を開始すると、搬送モーター１４を停止して、用紙Ｓの搬送および読取を中断する（Ｓ３１）。また、画像読取装置１は、表示部８０に紙ジャムエラーのメッセージを表示することで、ユーザーに紙ジャムエラーであることを報知する（Ｓ３２）。
【００５３】
図１０は、重送エラー処理の流れを示すフローチャートである。画像読取装置１は、重送エラー処理を開始すると、搬送モーター１４を停止して、用紙Ｓの搬送および読取を中断する（Ｓ４１）。また、画像読取装置１は、表示部８０に重送エラーのメッセージを表示することで、ユーザーに重送エラーであることを報知する（Ｓ４２）。
【００５４】
図１１は、通常出力処理の流れを示すフローチャートである。画像読取装置１は、通常出力処理を開始すると、スキャン画像と、非重送判定情報と、を含む画像ファイルを生成し、生成した画像ファイルをホスト装置２００に出力する（Ｓ５１）。なお、Ｓ５１は、本発明の「生成工程」の一例である。
【００５５】
図１２は、特殊出力処理の流れを示すフローチャートである。画像読取装置１は、特殊出力処理を開始すると、搬送モーター１４を作動させたまま、用紙Ｓの搬送および読取を継続する（Ｓ６１）。また、画像読取装置１は、用紙Ｓの搬送完了後、表示部８０に重送の可能性がある旨のメッセージを表示することで、ユーザーに重送の可能性があることを報知する（Ｓ６２）。また、画像読取装置１は、スキャン画像と、重送判定情報と、を含む画像ファイルを生成し、生成した画像ファイルをホスト装置２００に出力する（Ｓ６３）。なお、Ｓ６３は、本発明の「生成工程」の一例である。
【００５６】
以上説明したとおり、本実施形態の画像読取装置１は、用紙Ｓの搬送中に、Ｖ２＜Ｖｏ≦Ｖ１と、Ｖｏ≦Ｖ２と、が同じ用紙Ｓに対して出力されたときは、用紙Ｓの搬送および読取を継続させ、用紙Ｓの搬送中に、Ｖ１＜Ｖｏ≦Ｖ０と、Ｖｏ≦Ｖ２と、が同じ用紙Ｓに対して出力されたときは、重送エラーと判定して、用紙Ｓの搬送および読取を中断させる。この構成によれば、多層紙Ｓ１のように、重送の誤判定の確率が高い用紙Ｓの場合は、重送の可能性ありと判定されてもスキャン画像を生成可能であるため、誤判定によりスキャン動作が中断され、再度スキャン操作を行うといったユーザーの手間を軽減することができる。一方、普通紙Ｓ２のように、重送の誤判定の確率が低い用紙Ｓの場合は、重送の可能性ありと判定されたときにスキャン動作を中断するため、重送による用紙Ｓの破損や搬送モーター１４への負荷が大きくなることを抑制することができる。
【００５７】
また、画像読取装置１は、重送判定回数がｎ回以上となったときに、重送の可能性ありと判定するため、正確に重送を判定することができる。また、１枚の用紙Ｓについて判定された重送判定回数をカウントアップしていく構成であるため、重送であるにも関わらず、何らかの原因によりＶｏ＞Ｖ２となる出力信号が一時的に出力されたような場合でも、確実に重送を判定することができる。
【００５８】
また、画像読取装置１は、普通紙Ｓ２と判定した場合でも、重送判定回数が１回以上であると判定した場合（図６のＳ０７：Ｙｅｓの場合、図７のＳ１６：Ｙｅｓの場合）は、特殊判定処理を行うため、例えば普通紙Ｓ２に付箋紙やシールが貼られていた場合にも、重送と誤判定することなく、スキャン画像を生成することができる。
【００５９】
また、画像読取装置１は、特殊判定処理において、重送判定回数がｎ回以上と判定した場合、スキャン画像に重送判定情報を付加した画像ファイルを出力するため、ホスト装置２００を操作するユーザーが、重送の可能性があるスキャン画像であることを把握することができる。また、ホスト装置２００側で、重送判定情報に基づいて、スキャン画像の絞り込みや並び替えを行うことが可能となる。
【００６０】
［第２実施形態］
次に、本発明の第２実施形態について説明する。第１実施形態では、音波検出部２０の検出結果に基づいて、用紙Ｓの種類を判定したが、本実施形態では、ユーザー設定に基づいて、用紙Ｓの種類を判定する。以下、第１実施形態と異なる点を中心に説明する。なお、本実施形態において、第１実施形態と同様の構成部分については同様の符号を付し、詳細な説明を省略する。また、第１実施形態と同様の構成部分について適用される変形例は、本実施形態についても同様に適用される。ユーザー設定や音波検出部２０の検出結果の他の方法により用紙Ｓの種類を判定する場合でも同様である。
【００６１】
本実施形態の画像読取装置１は、制御系の構成について、図２に示した第１実施形態の構成と同様であるが、閾値記憶領域５１には、判定閾値として、閾値Ｖ０と閾値Ｖ２の２種類のみ記憶しておけばよい。また、本実施形態において、ユーザーは、操作部７０を用いて用紙Ｓの種類を設定する。用紙Ｓの種類は、多層紙Ｓ１と普通紙Ｓ２といった分類でなくてもよく、例えば、「ハガキ」、「名刺」、「写真用紙」などの分類で設定してもよい。
【００６２】
制御部１００は、操作部７０により設定された用紙Ｓの種類を取得し、読取対象となる用紙Ｓが多層紙Ｓ１であるか否かを判定する。例えば、制御部１００は、用紙Ｓの種類として、「ハガキ」や「名刺」が設定された場合は、多層紙Ｓ１ではないと判定し、「写真用紙」が設定された場合は、多層紙Ｓ１であると判定する。なお、制御部１００は、本発明の「取得部」の一例である。また、制御部１００が用紙Ｓの種類を取得する工程は、本発明の「取得工程」の一例である。
【００６３】
図１３は、第２実施形態に係る、初期判定処理の流れを示すフローチャートである。Ｓ７１〜Ｓ７５は、図６に示したＳ０１〜Ｓ０５と同様である。画像読取装置１は、音波検出部２０の出力値ＶｏがＶｏ≦Ｖ０であると判定した場合（Ｓ７４：Ｙｅｓ）、多層紙Ｓ１が設定されたか否かを判定する（Ｓ７６）。画像読取装置１は、多層紙Ｓ１が設定されていないと判定した場合（Ｓ７６：Ｎｏ）、重送判定回数が１回以上であるか否かを判定する（Ｓ７７）。画像読取装置１は、重送判定回数が１回以上ではないと判定した場合（Ｓ７７：Ｎｏ）、通常判定処理（図７参照）を行い、重送判定回数が１回以上であると判定した場合（Ｓ７７：Ｙｅｓ）、特殊判定処理（図８参照）を行う。
【００６４】
また、画像読取装置１は、Ｓ７６において、多層紙Ｓ１が設定されていると判定した場合（Ｓ７６：Ｙｅｓ）、Ｖｏ≦Ｖ２であるか否かを判定し（Ｓ７８）、Ｖｏ≦Ｖ２ではないと判定した場合（Ｓ７８：Ｎｏ）、特殊判定処理を行う。なお、Ｓ７８〜Ｓ８０は、図６に示したＳ０８〜Ｓ１０と同様である。また、通常判定処理や特殊判定処理を含むその他の処理（図７〜図１２参照）については、第１実施形態と同様であるため説明を省略する。
【００６５】
以上説明したとおり、本実施形態の画像読取装置１は、ユーザーの設定に基づいて、用紙Ｓが多層紙Ｓ１であるか否かを判定するため、正確に用紙Ｓの種類を判定することができる。このため、重送の誤判定によりスキャン動作が中断され、再度スキャン動作を開始させるといったユーザーの手間を、確実に軽減することができる。
【００６６】
以上、２つの実施形態を示したが、これらの実施形態によらず、以下の変形例を適宜組み合わせて採用可能である。
［変形例１］
上記の各実施形態において制御部１００は、重送判定回数がｎ回に達したとき、用紙Ｓの搬送および読取を中断させたが、１回でも重送の可能性があると判定されたとき、すなわちＶｏ≦Ｖ２となる出力信号が出力されたとき、用紙Ｓの搬送および読取を中断してもよい。
【００６７】
また、さらなる変形例として、制御部１００は、同じ用紙Ｓに対する重送判定回数がｎ回に達したときに、用紙Ｓの搬送および読取を中断させたが、ｎ回以上連続して重送の可能性があると判定されたとき、すなわちＶｏ≦Ｖ２となる出力信号がｎ回連続して出力されたとき、用紙Ｓの搬送および読取を中断してもよい。
【００６８】
［変形例２］
また、制御部１００は、重送判定回数の「ｎ」の値を、設定された読取解像度や用紙Ｓの搬送速度に応じて変更してもよい。また、ユーザーが、重送判定回数の「ｎ」の値を、任意の値に設定可能としてもよい。
【００６９】
また、さらなる変形例として、重送判定回数ではなく、Ｖｏ≦Ｖ２となる出力信号が閾値時間以上出力されたか否かに応じて、重送の可能性があるか否かを判定してもよい。この場合、出力信号の出力時間は、タイマー等で計測すればよい。また、同じ用紙Ｓに対するＶｏ≦Ｖ２となる出力信号の出力時間の合計が閾値時間以上か否かに応じて、重送の可能性があるか否かを判定してもよい。
【００７０】
また、さらなる変形例として、Ｖｏ≦Ｖ２となる出力信号が出力された間に搬送された搬送距離が、閾値距離以上か否かに応じて、重送の可能性があるか否かを判定してもよい。また、同じ用紙Ｓに対して、Ｖｏ≦Ｖ２となる出力信号が出力された間に搬送された搬送距離の合計が閾値距離以上か否かに応じて、重送の可能性があるか否かを判定してもよい。
【００７１】
［変形例３］
また、上記の各実施形態において制御部１００は、Ｖｏ＞Ｖ０であるとき、「紙無し」と判定したが、Ｖｏ≧Ｖ０を条件としてもよい。また、第１実施形態において制御部１００は、Ｖ１＜Ｖｏ≦Ｖ０であるとき、普通紙Ｓ２と判定したが、Ｖ１≦Ｖｏ≦Ｖ０、Ｖ１＜Ｖｏ＜Ｖ０、Ｖ１≦Ｖｏ＜Ｖ０を条件としてもよい。同様に、Ｖ２＜Ｖｏ≦Ｖ１であるとき、多層紙Ｓ１と判定したが、Ｖ２≦Ｖｏ≦Ｖ１、Ｖ２＜Ｖｏ＜Ｖ１、Ｖ２≦Ｖｏ＜Ｖ１を条件としてもよい。また、上記の各実施形態において制御部１００は、Ｖｏ≦Ｖ２であるとき、重送の可能性があると判定したが、Ｖｏ＜Ｖ２を条件としてもよい。
【００７２】
［変形例４］
また、上記の第２実施形態において制御部１００は、操作部７０により設定された用紙Ｓの種類を取得したが、光学的に用紙Ｓの大きさや厚みを検出する用紙検出手段の検出結果から用紙Ｓの種類を特定し、特定した用紙Ｓの種類を取得してもよい。また、制御部１００は、画像読取部４０により読み取られたスキャンデータに含まれる情報から用紙Ｓの種類を特定し、特定した用紙Ｓの種類を取得してもよい。例えば、用紙Ｓに施された用紙Ｓの種類を示すマークの有無やマークの形状から用紙Ｓの種類を特定することが考えられる。
【００７３】
また、さらなる変形例として、制御部１００は、音波検出部２０の検出結果、操作部７０の設定、画像読取部４０の読取結果など、複数の方法で取得された用紙Ｓの種類に基づいて、用紙判定を行ってもよい。制御部１００は、用紙判定の結果、多層紙Ｓ１の可能性ありと判定した場合、特殊判定処理を行い、多層紙Ｓ１の可能性なしと判定した場合、通常判定処理を行なえばよい。つまり、制御部１００は、何らかの方法で用紙判定を行う用紙判定部の判定結果と、音波検出部２０による重送判定の判定結果と、に基づいて、通常判定処理を行うか、特殊判定処理を行うかを決定してもよい。
【００７４】
［変形例５］
また、上記の各実施形態において制御部１００は、用紙Ｓの種類が多層紙Ｓ１か否かを判定したが、写真用紙専用のスキャナーに、本実施形態の画像読取装置１を適用する場合、用紙Ｓの種類を判定する処理を省略してもよい。つまり、第１実施形態では、図６のＳ０６およびＳ０７を省略し、第２実施形態では、図１３のＳ７６およびＳ７７を省略してもよい。
【００７５】
［変形例６］
また、上記の各実施形態において出力部９０は、ホスト装置２００に画像ファイルを出力したが、表示手段に画像ファイルを出力してスキャン画像を表示させてもよいし、印刷手段に画像ファイルを出力してスキャン画像を印刷させてもよい。この場合、重送判定情報に基づき、スキャン画像に何らかの装飾を施して表示または印刷させてもよい。
【００７６】
［変形例７］
上記の各実施形態において画像読取部４０は、光源４１の色を切り替えながらイメージセンサー４３により画像を読み取る光源色切り替え方式を用いたが、イメージセンサー４３上にカラーフィルターを配置して白色の光源で画像を読み取るカラーセンサー方式など、他の読取方式を用いてもよい。
【００７７】
［変形例８］
上記の各実施形態では、スキャナー機能のみを備えた画像読取装置１を例示したが、印刷出力を行うプリント機能、ＦＡＸ出力を行うファクシミリ機能、ファイルを外部メモリに出力する外部メモリ機能、およびスキャン画像の表示出力を行う表示機能、などを備えた複合機に、本発明の画像読取装置を適用してもよい。
【００７８】
［変形例９］
上記の各実施形態において制御部１００は、音波受信器２３の受信強度が大きくなるにつれて、出力信号の値も大きくなることを前提に、出力信号と、各種判定閾値とを比較判定したが、音波受信器２３の出力が反転されている構成でも比較判定が可能である。この場合、各種判定閾値の大小を逆にすればよい。
【００７９】
また、さらなる変形例として、音波受信器２３の受信強度と、各種判定閾値とを比較判定する構成でもよい。
【００８０】
［変形例１０］
上記の各実施形態において制御部１００は、重送エラー処理（図１０参照）では搬送モーター１４を停止させたが、搬送モーター１４を停止させることなく、ユーザーに対し、重送の可能性が高いことを報知してもよい。一方、制御部１００は、特殊出力処理（図１２参照）では、用紙Ｓの搬送完了後、ユーザーに対し、重送の可能性を報知したが、重送の可能性が低いことを報知してもよい。つまり、特殊出力処理時より、重送エラー処理時のほうが重送の可能性が高いと判断して、その判断結果をユーザーに報知してもよい。
【００８１】
また、さらなる変形例として、特殊出力処理において、搬送モーター１４を停止させ、重送の可能性が低いことを報知する構成でもよい。
【００８２】
［その他の変形例］
上記の各実施形態および変形例に示した画像読取装置１の各処理を実行する方法、画像読取装置１の各処理を実行するためのプログラム、またそのプログラムを記録したコンピューター読み取り可能な記録媒体も、本発明の権利範囲に含まれる。その他、本発明の要旨を逸脱しない範囲で、適宜変更が可能である。
【符号の説明】
【００８３】
１…画像読取装置、１０…搬送部、１３…分離モーター、１４…搬送モーター、２０…音波検出部、２１…音波発信器、２２…発信回路、２３…音波受信器、２４…受信回路、３０…用紙検出部、３１…用紙センサー、４０…画像読取部、４１…光源、４２…レンズアレイ、４３…イメージセンサー、４４…Ａ／Ｄ変換部、５０…記憶部、５１…閾値記憶領域、６０…画像処理部、７０…操作部、８０…表示部、９０…出力部、１００…制御部、２００…ホスト装置
【図１】
2019196234.tif 000003
【図２】
2019196234.tif 000004
【図３】
2019196234.tif 000005
【図４】
2019196234.tif 000006
【図５】
2019196234.tif 000007
【図６】
2019196234.tif 000008
【図７】
2019196234.tif 000009
【図８】
2019196234.tif 000010
【図９】
2019196234.tif 000011
【図１０】
2019196234.tif 000012
【図１１】
2019196234.tif 000013
【図１２】
2019196234.tif 000014
【図１３】
2019196234.tif 000015